(57)【要約】家具の基本構造に固定可能であるガイドレール（２）を備える家具の引き出し部分を完全に引き出すための機構の形の引き出しガイドであって、引き出し部分に連結可能である滑走レール（３）も備え、さらに中央レール（４）を備え、これはガイドレール（２）と滑走レール（３）との間に配置され、引き出し長さを延長し、ガイドレール（２）および滑走レール（３）に対してロール体ケージ（５）内に保持されるロール体によりガイドされ、形成された略Ｃ形状の断面からなり、その側方部分（４ａ）がロール体用の滑走面（４ｂ）を形成するため屋根状に折り畳まれており、その際、形成された滑走面（４ｂ）の１つのそれぞれ長手方向の自由端（４ｃ）が、滑走面（４ｂ）外の外形に接続されている。【選択図】図４
2013542821.tif 000002
【特許請求の範囲】
【請求項１】
家具本体に固定可能であるガイドレール（２）と、
引き出し部分に連結可能である滑走レール（３）と、
ガイドレール（２）と滑走レール（３）との間に配置され、引き出し長さを延長し、ガイドレール（２）および滑走レール（３）に対してロール体ケージ（５）内に保持されるロール体によりガイドされ、成形工程により形成される略Ｃ形状の外形を有し、その横方向ウェブ（４ａ）がロール体用の滑走面（４ｂ）を形成するため屋根状に折り畳まれている中央レール（４）とを備える、
家具の引き出し部分を完全に引き出すための機構の形の引き出しガイドにおいて、
形成された滑走面（４ｂ）の１つのそれぞれ長手方向の自由端（４ｃ）が、滑走面（４ｂ）外の外形に強固に接続されることを特徴とする
引き出しガイド。
【請求項２】
前記滑走面（４ｂ）の長手方向端（４ｃ）が、外形に付随的に溶接されることを特徴とする
請求項１に記載の引き出しガイド。
【請求項３】
前記滑走面（４ｂ）の長手方向端（４ｃ）が、外形に付随的にスポット溶接により接続されることを特徴とする
請求項１に記載の引き出しガイド。
【請求項４】
前記滑走面（４ｂ）の長手方向端（４ｃ）が、外形に付随的に接着により強固に接続されることを特徴とする
請求項１に記載の引き出しガイド。
【請求項５】
前記滑走面（４ｂ）の長手方向端（４ｃ）が、外形に付随的に連結するようプレスされることを特徴とする
請求項１に記載の引き出しガイド。
【請求項６】
中央レール（４）の動きがケーブル制御手段（６）により同期され、
該ケーブル制御手段（６）が中央レール（４）に取り付けられる偏向ローラー（７）の周りをガイドされ、
一方で滑走レール（３）とガイドレール（２）との間のロール体ケージ（５）に固定されており、
他方で中央レール（４）に固定されるケーブル（８）からなることを特徴とする
先の請求項のいずれか一項に記載の引き出しガイド。
【請求項７】
ローラーベアリング（１１）が複数の部品に配置されている場合に、引き出し方向で前方に配置される前記ロール体ケージ（５）に前記ケーブル（８）が接続されることを特徴とする
請求項６に記載の引き出しガイド。
【請求項８】
前記ケーブル（８）が、前記ロール体ケージ（５）に遊びがない状態で固定されることを特徴とする
請求項７に記載の引き出しガイド。
【請求項９】
前記ケーブル（８）が、前記ロール体ケージ（５）と共に溶接されることを特徴とする
請求項８に記載の引き出しガイド。
【請求項１０】
前記ケーブル（８）が、前記ロール体ケージ（５）に超音波溶接により接続されることを特徴とする
請求項８に記載の引き出しガイド。
【発明の詳細な説明】
【技術分野】
【０００１】
本発明は、家具の引き出し部分を完全に引き出すための機構の形の引き出しガイドに関し、これは家具本体に固定可能であるガイドレールと、引き出し部分に連結可能である滑走レールと、ガイドレールと滑走レールとの間に配置され、引き出し長さを延長し、ガイドレールおよび滑走レールに対してロール体ケージ内に保持されるロール体によりガイドされ、成形工程により形成される略Ｃ形状の断面を有し、その横方向ウェブがロール体用の滑走面を形成するため屋根状に折り畳まれている中央レールとを備える。
【背景技術】
【０００２】
この種の引き出しガイドは一般に公知であり、家具の引き出しのような引き出し部分の引き出し長さを延長する主レールにより、家具本体の全長を越えて開放位置に引き出されることが可能であるため、この分野の完全伸展機構を参照する。
【０００３】
この種の引き出しガイドは、Ｃ形状の中央レールの中央ウェブが垂直に延伸するよう家具の本体内に取り付けられる。  
したがって、中央レールの荷重がかかる面も垂直に延伸し、これは断面がＣ形状であるゆえ、中央ウェブの面に対して横方向にわずかにオフセットしている。  
これによりねじれ力が発生する。
【発明の概要】
【発明が解決しようとする課題】
【０００４】
本発明は、この種の引き出しガイドにおいて、中央レールの耐荷重性能を大幅にかつ簡単に向上させることを目的としている。
【課題を解決するための手段】
【０００５】
この目的は、形成された滑走面の１つのそれぞれ長手方向の自由端が滑走面外で外形に強固に接続されることにより達成される。
【０００６】
この手段の結果、複数回成形されて形成される外形全体が自己完結型となり、その際大幅に強化および硬化され、これによりＣ形状のねじり剛性が実質的に向上される。
【０００７】
接続は、形成された滑走面の１つのそれぞれ長手方向の自由端の領域で行われるため、滑走面の長手方向端部は滑走面の精度を損ねることなく溶接されることが可能である。
【０００８】
特に、スポット溶接が考えられる。
【０００９】
また、他の材料、連結および／または摩擦力係合技術を使用することも当然可能であり、たとえば滑走面の外形の長手方向端部は外形に接着により強固に接続されることも可能である。
【００１０】
また、長手方向端部を外形と共に連結させるようプレスすることも可能である。
【００１１】
本発明のその他の特徴は続く従属請求項に記載される。
【００１２】
本発明の実施形態を添付の図面に示し、以下に詳細に説明する。
【図面の簡単な説明】
【００１３】
【図１】本発明に係る引き出しガイドの図である。
【図２】図１の引き出しガイドの斜視図である。
【図３】図１および２の引き出しガイドの前面図である。
【図４】本発明の実施形態に係る引き出しガイドの中央レールを個別の部品として示している。
【図５】中央レールをロール体ケージおよびケーブル制御手段と共に示す。
【図６】図１の反対側から見た引き出しガイドの図である。
【発明を実施するための形態】
【００１４】
すべての図において引き出しガイドは全体が符号１で示されており、このガイドはたとえば引き出し等の家具の引き出し部分用に設計されている。
【００１５】
引き出しガイド１は実質的に、ガイドレール２と、滑走レール３と、引き出し長さを延長する中央レール４とを備える。
【００１６】
ガイドレール２は、公知の方法で家具の本体の固定の場所に固定することが可能である。  
滑走レール３は、たとえば引き出し等の家具の引き出し部分と連結されるために使用される。  
引き出し長さを延長する中央レール４は、ガイドレール２と滑走レール３との間に配置され、上述のレール２および３に対してロール体ケージ５内に保持されるロール体によりガイドされ、その際好適にはロール体ローラー（詳細には不図示）がロール体として設けられている。
【００１７】
上方および下方のローラーベアリング１１は、間隔保持バー１０により相互に接続されるロール体ケージ５からなる。
【００１８】
さらに、引き出しガイド１には、中央レール４の動きを同期させるためのケーブル制御手段６が設けられる。
【００１９】
ケーブル制御手段６は、２つの偏向ローラー７の周りをガイドされているとともに引き出し方向に見て前方に配置されるロール体ケージ５に固定されるケーブル８からなる。  
偏向ローラー７は、一方で中央レール４の前領域内に配置され、他方では中央レール４のほぼ中央に配置される。これは特に図１、２および５に示されている。
【００２０】
複数部品で構成されるこのローラーベアリング１１の場合、ケーブル８は引き出し方向に見て前領域でロール体ケージ５に適切に接続されている。  
これにより、引き出しを引き出す際に間隔保持バー１０に作用する力が小さいという利点がある。
【００２１】
ロール体ケージ５とケーブル８との間の接続は遊びがない状態で設けられ、好適にはケーブル８はそれぞれ配置されるケーブル支持部５ａに溶接される。  
この場合、好適には超音波溶接が用いられる。
【００２２】
ケーブル制御手段６は中央レール４の領域内に完全に統合されているため、必要なケーブル８の全長は中央レール４の全長にほぼ一致し、そのためケーブル８が一方でガイドレール２の終端側に接続され、他方では中央レール４に接続される従来の公知構造のケーブル８の実質的にほぼ半分の長さになる。
【００２３】
これに応じて必要な材料も減少するため、製造におけるコスト面でも有利である。  
また、ケーブル制御手段６を上述の通り構成することにより、偏向ローラー７の円周速度は従来の公知技術による構成のものに比べて半減することが達成され、これによって引き出しガイド１の寿命が大幅に向上する。
【００２４】
ケーブル制御手段６の全長は引き出しガイド１の長さのほぼ半分であるため、引き出しガイド１内のケーブル制御手段６によって必要とされない空間に、任意で減衰装置と組み合わせて、自己引き込み装置９を収容することが可能である。  
ケーブル制御手段６が必要としない空間には、その他の機能部品が統合されることも可能である。
【００２５】
図３および４に示されるように、中央レール４は、成形技術により形成されて断面がＣ形状の部分により構成される。  
中央レール４の横方向ウェブ４ａは、図３および４に明確に示されるように、ロール体用の滑走面４ｂを形成するよう屋根状に折り畳まれている。  
図１から３に係る実施形態で使用されているこの公知かつ信頼性の高い構造は、成形された滑走面４ｂの１つのそれぞれの長手方向の自由端４ｃが滑走面の使用領域外の領域に強固に接続されることにより、（図４に示されるように）さらに簡単な方法へと改良されることが可能である。  
接続は、接着、溶接、スポット溶接、局所的な連結プレス、その他の材料、連結および／または摩擦力係合技術により行われることが可能である。  
その結果、複数回成形されて形成される外形全体が自己完結型となり、大幅に強化および硬化され、これによりＣ形状のねじり剛性が向上する。
【００２６】
これらの手段によって、中央レール４の製造用に原材料に従来必要とされていた厚さより薄いものを使用することも可能である。
【００２７】
引き出しガイド１の上述の手段および実施形態は全体として、費用効率が高く、材料節減が可能な引き出しガイド１の製造につながり、これにより特にケーブル制御手段６の偏向ローラー７にかかる荷重が低減するため寿命が大幅に増加するという追加的な長所も得られる。
【符号の説明】
【００２８】
１  引き出しガイド
２  ガイドレール
３  滑走レール
４  中央レール
４ａ  横方向ウェブ
４ｂ  滑走面
４ｃ  長手方向端部
５ａ  ケーブル支持部
６  ケーブル制御手段
７  偏向ローラー
８  ケーブル
９  自己引き込み装置
１０  間隔保持バー
１１  ローラーベアリング
【図１】
2013542821.tif 000003
【図２】
2013542821.tif 000004
【図３】
2013542821.tif 000005
【図４】
2013542821.tif 000006
【図５】
2013542821.tif 000007
【図６】
2013542821.tif 000008
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
家具本体に固定可能であるガイドレール（２）と、
引き出し部分に連結可能である滑走レール（３）と、
ガイドレール（２）と滑走レール（３）との間に配置され、引き出し長さを延長し、ガイドレール（２）および滑走レール（３）に対してロール体ケージ（５）内に保持されるロール体によりガイドされ、成形工程により形成される略Ｃ形状の外形を有し、その横方向ウェブ（４ａ）がロール体用の滑走面（４ｂ）を形成するため屋根状に折り畳まれている中央レール（４）とを備える、
家具の引き出し部分を完全に引き出すための機構の形の引き出しガイドにおいて、
形成された滑走面（４ｂ）の１つのそれぞれ長手方向の自由端（４ｃ）が、滑走面（４ｂ）外の外形に付随的に溶接されることを特徴とする
引き出しガイド。
【請求項２】
前記滑走面（４ｂ）の長手方向端（４ｃ）が、外形に付随的にスポット溶接により接続されることを特徴とする
請求項１に記載の引き出しガイド。
【請求項３】
中央レール（４）の動きがケーブル制御手段（６）により同期され、
該ケーブル制御手段（６）が中央レール（４）に取り付けられる偏向ローラー（７）の周りをガイドされ、
一方で滑走レール（３）とガイドレール（２）との間のロール体ケージ（５）に固定されており、
他方で中央レール（４）に固定されるケーブル（８）からなることを特徴とする
請求項１又は２に記載の引き出しガイド。
【請求項４】
ローラーベアリング（１１）が複数の部品に配置されている場合に、引き出し方向で前方に配置される前記ロール体ケージ（５）に前記ケーブル（８）が接続されることを特徴とする
請求項３に記載の引き出しガイド。
【請求項５】
前記ケーブル（８）が、前記ロール体ケージ（５）に遊びがない状態で固定されることを特徴とする
請求項４に記載の引き出しガイド。
【請求項６】
前記ケーブル（８）が、前記ロール体ケージ（５）と共に溶接されることを特徴とする
請求項５に記載の引き出しガイド。
【請求項７】
前記ケーブル（８）が、前記ロール体ケージ（５）に超音波溶接により接続されることを特徴とする
請求項５に記載の引き出しガイド。
【国際調査報告】
2013542821.tif 000009
2013542821.tif 000010
2013542821.tif 000011
2013542821.tif 000012
2013542821.tif 000013
2013542821.tif 000014
2013542821.tif 000015
2013542821.tif 000016
2013542821.tif 000017
2013542821.tif 000018